(57)【特許請求の範囲】
【請求項１】
インクが供給され、供給されたインクを噴射させる為のインク噴射部と；
外部電気機器のコネクタと着脱自在に電気的に接続する為のヘッド側コネクタと；
インク噴射部とヘッド側コネクタとの間に介在され、インク噴射部とヘッド側コネクタとの間の電気的な接続を行う電気接続部と；
インク噴射部，ヘッド側コネクタ，そして電気接続部を支持する支持体と；
支持体に設けられ、ヘッド側コネクタを外部電気機器のコネクタに向かい付勢する付勢手段と、
を備えており、
ヘッド側コネクタが支持体により３次元方向に移動可能に支持されており、
電気接続部の少なくとも一部は弾性を有しており、前記付勢手段として機能する、
ことを特徴とするインクジェットヘッド。
【請求項２】
電気接続部はインク噴射部とヘッド側コネクタとの間で少なくともヘッド側コネクタに対し相対的に移動可能に配置されていてヘッド側コネクタの上記３次元方向の移動を許容する、ことを特徴とする請求項１に記載のインクジェットヘッド。
【請求項３】
電気接続部の少なくとも一部は可撓性を有している、ことを特徴とする請求項１または請求項２に記載のインクジェットヘッド。
【発明の詳細な説明】
【０００１】
【発明の属する技術分野】
この発明は、インクジェットヘッドに関係している。
【０００２】
【従来技術】
インクジェットヘッドはインクジェットプリンタにおいて、インクジェットプリンタに供給された印刷用紙のような印刷媒体に向かいインク滴を噴射することにより印刷媒体上に所望の画像を形成する為に使用されている。インクジェットプリンタにおいてインクジェットヘッドは、保守や点検の為に例えばキャリッジのようなヘッド支持部材に着脱自在に支持されている。
【０００３】
ヘッド支持部材におけるインクジェットヘッドの着脱自在な支持を可能にする為に、インクジェットヘッドがヘッド支持部材上の所定の位置に装着されている間のインクジェットヘッドとインクジェットプリンタ中の電気機器との間の電気的な接続はインクジェットヘッドに設けられているヘッド側コネクタと上記電気機器に設けられているコネクタとの着脱自在な連結により行なわれる。
【０００４】
従来のインクジェットプリンタにおいてインクジェットヘッドを所定位置に着脱自在に支持する為の構成は、例えば特開平５−１６３３９号公報により広く知られており、この構成は本願の図１０中に拡大されて概略的に示されている。
【０００５】
図１０中に示されている如く、従来のインクジェットヘッド支持構造は、インクジェットプリンタにおけるヘッド支持部材としてのキャリッジ１１０が、インクジェットヘッド挿入開口１１２ａを有したインクジェットヘッド支持基台１１２を備えている。
【０００６】
インクジェットヘッド挿入開口１１２ａに着脱可能に挿入されるインクジェットヘッド１１４は、インクが供給され供給されたインクを噴射させる為のインク噴射部１１４ａと、外部電気機器のコネクタと着脱自在に電気的に接続する為のヘッド側コネクタ１１４ｂと、インク噴射部１１４ａとヘッド側コネクタ１１４ｂとの間に介在されインク噴射部１１４ａとヘッド側コネクタ１１４ｂとの間の電気的な接続を行う電気接続部１１４ｃと、を備えている。インク噴射部１１４ａ，ヘッド側コネクタ１１４ｂ，そして電気接続部１１４ｃは支持カバー（支持体）１１４ｄにより所定の配置に支持されている。
【０００７】
より詳細に説明すると、インク噴射部１１４ａは支持カバー１１４ｄの一端に配置され、ヘッド側コネクタ１１４ｂは支持カバー１１４ｄの他端に配置され、電気接続部１１４ｃは支持カバー１１４ｄ中で支持カバー１１４ｄの一端と他端との間に配置されている。支持カバー１１４ｄ中にはさらにインク噴射部１１４ａから支持カバー１１４ｄの他端まで延出しているインク供給パイプ１１４ｅが配置されている。支持カバー１１４ｄの一端にはインク噴射部１１４ａの周囲を取り囲むようインク噴射部保護部１１４ｆがさらに取り付けられている。ヘッド側コネクタ１１４ｂは、支持カバー１１４ｄの上記一端とは反対の方向に向かい突出した複数の案内突起１１４ｇを有している。
【０００８】
インクジェットヘッド支持基台１１２においてインクジェットヘッド挿入開口１１２ａの入口とは反対側の端部に、外部電気機器の為のコネクタ１１６が配置されている。より詳細に説明すると、インクジェットヘッド支持基台１１２において上記反対側の端部の端面１１２ｂにはインクジェットヘッド挿入開口１１２ａの入口とは反対方向に向かい突出した複数の案内突起１１２ｃが設けられている。コネクタ１１６は複数の案内突起１１２ｃが挿入されている複数の挿入穴１１６ａを有している。複数の挿入穴１１６ａの夫々の径は複数の案内突起１１２ｃの夫々の径よりも十分に大きく設定されている。この為に、コネクタ１１６はインクジェットヘッド支持基台１１２の上記反対側の端部において、複数の挿入穴１１６ａの夫々の径と複数の案内突起１１２ｃの夫々の径との差異の分だけ複数の案内突起１１２ｃの夫々と交差する方向に移動可能である。
【０００９】
複数の案内突起１１２ｃの夫々の外周面には夫々の突出端とコネクタ１１６の端面との間に介在された付勢手段としての圧縮コイルばね１１２ｄが巻装されており、圧縮コイルばね１１２ｄはコネクタ１１６をインクジェットヘッド支持基台１１２の上記反対側の端部の端面１１２ｂ上に向かい付勢している。
【００１０】
キャリッジ１１０において、インクジェットヘッド支持基台１１２のインクジェットヘッド挿入開口１１２ａの上記反対側の端部から上記反対方向に離れた位置には、インクジェットヘッド１１４のインク噴射部１１４ａの動作やキャリッジ１１０の動作を制御する為の電気回路が構成されている回路基板１１８が配置されている。回路基板１１８からはコネクタ１１６に向かいフレキシブル基板１２０が延出していて、フレキシブル基板１２０の延出端はコネクタ１１６に接続されている。
【００１１】
キャリッジ１１０において、インクジェットヘッド支持基台１１２のインクジェットヘッド挿入開口１１２ａの上記反対側の端部から上記反対方向に離れた位置には、インクタンク１２２がさらに配置されている。インクタンク１２２からはインクジェットヘッド支持基台１１２のインクジェットヘッド挿入開口１１２ａ中へとインクジェットヘッド挿入開口１１２ａの上記反対側の端部を介してインク導出パイプ１２２ａが延出している。
【００１２】
このように構成されているキャリッジ１１０の所定位置であるインクジェットヘッド支持基台１１２のインクジェットヘッド挿入開口１１２ａ中へと上記入口を介してインクジェットヘッド１１４をヘッド側コネクタ１１４ｂを先頭にして挿入すると、ヘッド側コネクタ１１４ｂの複数の案内突起１１４ｇがコネクタ１１６に複数の案内突起１１４ｇに対応して形成されている複数の案内孔１１６ａに挿入され、図１０中に矢印Ａで示されている如くヘッド側コネクタ１１４ｂをキャリッジ１１０側のコネクタ１１６に接続させることができる。また上記挿入によりインクタンク１２２からのインク導出パイプ１２２ａの延出端がインクジェットヘッド１１４のインク供給パイプ１１４ｅの延出端中に挿入され水密に接続される。
【００１３】
インクジェットヘッド支持基台１１２のインクジェットヘッド挿入開口１１２ａ中へのインクジェットヘッド１１４の挿入は、インクジェットヘッド１１４のインク噴射部保護部１１４ｆにおいてインクジェットヘッド支持基台１１２に向いている当接面Ｔがインクジェットヘッド支持基台１１２においてインクジェットヘッド挿入開口１１２ａの上記入口の周囲の位置決め面Ｓに当接することにより停止し、この状態でインク噴射部保護部１１４ｆがインクジェットヘッド支持基台１２の上記周囲に解除可能に固定される。より詳細に説明すると、インク噴射部保護部１１４ｆに複数の貫通孔１１４ｇが形成されていて、これら貫通孔１１４ｇに図示されていない固定用頭付きボルトを挿入するとともに上記入口の周囲に螺合させることにより上記固定が実行される。
【００１４】
複数の貫通孔１１４ｇの夫々の径は図示されていない上記固定用頭付きボルトの捩子部の径よりも大きく頭部の径よりも小さく設定されている。従って、上記固定用頭付きボルトによる締め付けを緩和させている間に、インクジェットヘッド支持基台１１２の上記入口の周囲上でインク噴射部保護部１１４ｆを複数の貫通孔１１４ｇの夫々の径と図示されていない上記固定用頭付きボルトの捩子部の径との間の隙間の範囲で移動させることにより、キャリッジ１１０上におけるインクジェットヘッド１１４のインク噴射部１１４ａの図示されていない複数のインク噴射孔の位置調整を実行することが出来る。
【００１５】
この位置調整はまた、インクジェットヘッド支持基台１１２の上記他端部においてコネクタ１１６が前述した如く複数の案内突起１１２ｃの夫々と交差する方向に移動可能であることや、キャリッジ１１０の回路基板１１８とコネクタ１１６との間の電気的な接続がフレキシブル基板１２０により行われていることにより、容易になっている。しかも上記位置調整の間のヘッド側コネクタ１１４ｂの移動にキャリッジ１１０側のコネクタ１１６が容易に従属可能なので、上記位置調整の間にインクジェットヘッド１１４の電気接続部１１４ｃとキャリッジ１１０の回路基板１１８との間の電気的な接続が解除されることがない。
【００１６】
【発明が解決しようとする課題】
しかしながら、図１０を参照しながら上述した如く構成されている従来のインクジェットヘッド支持構造は、インクジェットヘッド支持基台１１２の上記他端部から回路基板１１８までにコネクタ１１６やフレキシブル基板１２０の動作の為の構成や空間を多く必要としている。従って、上記従来のインクジェットヘッド支持構造において、インクジェットヘッド支持基台１１２のインクジェットヘッド挿入開口１１２ａに対するインクジェットヘッド１１４の挿脱が行われる方向における寸法が大きくなっている。
【００１７】
この発明は上記事情の下でなされ、この発明の目的は、支持体におけるインクジェットヘッドの３次元方向の移動を可能にしているにもかかわらず、従来よりもインクジェットヘッド支持構造の構成を簡易に出来、しかも従来のインクジェットヘッド支持構造の外形寸法もより小形にすることが出来る、インクジェットヘッドを提供することである。
【００１８】
【課題を解決するための手段】
上述したこの発明の目的を達成する為に、この発明に従ったインクジェットヘッドは：
インクが供給され、供給されたインクを噴射させる為のインク噴射部と；
外部電気機器のコネクタと着脱自在に電気的に接続する為のヘッド側コネクタと；
インク噴射部とヘッド側コネクタとの間に介在され、インク噴射部とヘッド側コネクタとの間の電気的な接続を行う電気接続部と；
インク噴射部，ヘッド側コネクタ，そして電気接続部を支持する支持体と；
支持体に設けられ、ヘッド側コネクタを外部電気機器のコネクタに向かい付勢する付勢手段と、
を備えており、
ヘッド側コネクタが支持体により３次元方向に移動可能に支持されており、
電気接続部の少なくとも一部は弾性を有しており、前記付勢手段として機能する、
ことを特徴としている。
【００２７】
以下、この発明の一実施の形態に従ったインクジェットヘッド及びこのインクジェットヘッドと組み合わされて使用されるインクジェットヘッド支持構造、さらには上記インクジェットヘッドの種々の変形例を添付の図面中の図１乃至図９を参照しながら詳細に説明する。
【００２８】
【発明の実施の形態】
まず最初に、図１を参照しながら、この発明の一実施の形態に従ったインクジェットヘッド１０Ａ，１０Ｂ，１０Ｃ，１０Ｄ及びこれらのインクジェットヘッド１０Ａ，１０Ｂ，１０Ｃ，１０Ｄと組み合わされて使用されるインクジェットヘッド支持構造１２Ａ，１２Ｂ，１２Ｃ，１２Ｄを備えたインクジェットプリンタ１４の主要部の構成及び動作を概略的に説明する。
【００２９】
インクジェットプリンタ１４は、記録媒体（例えば記録用紙）１６がロール状に巻かれている記録媒体源１６ａと、記録媒体源１６ａから引き出された記録媒体１６を所定の走行経路に沿い移動させる記録媒体走行案内手段１８と、を備えている。記録媒体走行案内手段１８は、記録媒体源１６ａから引き出された記録媒体１６を挟持し回転駆動源（例えば、ステップモータ）１８ａにより駆動されて上述した如く挟持している記録媒体１６を所定の方向に送り出す給紙ローラ対１８ｂ，１８ｃと、給紙ローラ対１８ｂ，１８ｃにより送り出された記録媒体１６を所定の走行経路に沿い移動を案内する複数の走行案内ローラ１８ｄを含んでいる。記録媒体走行案内手段１８はさらに、上記走行経路に沿い配置されている平坦なプラテン１８ｅを含んでいる。
【００３０】
インクジェットプリンタ１４はまた、プラテン１８ｅ上における記録媒体１６の所定の移動方向Ｙ（副走査方向）に対しプラテン１８ｅの記録媒体対向面に沿い直交する方向（主走査方向）Ｒ，Ｌにインクジェットヘッド１０Ａ，１０Ｂ，１０Ｃ，１０Ｄと組み合わされて使用されるインクジェットヘッド支持構造１２Ａ，１２Ｂ，１２Ｃ，１２Ｄを所定の範囲で往復移動させるキャリッジ手段２０を備えている。
【００３１】
キャリッジ手段２０は、上記主走査方向Ｒ，Ｌにおいて相互に平行に延出した１対のキャリッジ案内棒２０ａ，２０ｂと、１対のキャリッジ案内棒２０ａ，２０ｂ上にキャリッジ案内棒２０ａ，２０ｂに沿い移動可能に支持されているキャリッジ本体２０ｃと、１対のキャリッジ案内棒２０ａ，２０ｂに沿い延出し一部がキャリッジ本体２０ｃに固定された動力伝達ベルト２０ｄと、動力伝達ベルト２０ｄの一端部が巻き掛けられた出力部２０ｅを有する回転駆動源２０ｆと、を備えている。回転駆動源２０ｆはステップモータにより構成されており、また出力部２０ｅはステップモータの出力軸に固定された出力プーリにより構成されている。
【００３２】
キャリッジ本体２０ｃには、インクジェットヘッド支持構造１２Ａ，１２Ｂ，１２Ｃ，１２Ｄが設置されている。インクジェットヘッド１０Ａ，１０Ｂ，１０Ｃ，１０Ｄはインクジェットヘッド支持構造１２Ａ，１２Ｂ，１２Ｃ，１２Ｄに対し着脱自在に支持されていて、キャリッジ本体２０ｃが１対のキャリッジ案内棒２０ａ，２０ｂに沿い回転駆動源２０ｆからの駆動力により所定の範囲で往復移動される間にプラテン１８ｅ上の記録媒体１６に対面する。
【００３３】
インクジェットヘッド支持構造１２Ａ，１２Ｂ，１２Ｃ，１２Ｄは、黒色，シアン色，マゼンタ色，イエロー色のインクを貯蔵した図示しないインク貯蔵タンクを有しており、インクジェットヘッド支持構造１２Ａ，１２Ｂ，１２Ｃ，１２Ｄにインクジェットヘッド１０Ａ，１０Ｂ，１０Ｃ，１０Ｄが着脱自在に支持された時、図示しないインク貯蔵タンクはインクジェットヘッド１０Ａ，１０Ｂ，１０Ｃ，１０Ｄに接続される。
【００３４】
この実施の形態では、４つのインクジェットヘッド１０Ａ，１０Ｂ，１０Ｃ，１０Ｄが黒色，シアン色，マゼンタ色，イエロー色に夫々対応しているが、１つのインクジェットヘッドを複数色に対応させることも出来る。
【００３５】
インクジェットプリンタ１４はさらに、インクジェットプリンタ１４の動作を電気的に制御する為の電気制御手段２２を備えている。
【００３６】
電気制御手段２２は、インクジェットプリンタ１４によりプラテン１８ｅ上の記録媒体１６上に形成してもらう画像に対応したプリント原画信号源（例えばパーソナルコンピュータ）３０からのプリント原画信号が入力される書き込み回路２２ａと、書き込み回路２２ａに入力されたプリント原画信号を、プリント原画信号を基礎にして４つのインクジェットヘッド１０Ａ，１０Ｂ，１０Ｃ，１０Ｄを使用しプラテン１８ｅ上の記録媒体１６上にプリント原画信号に対応した所望の画像を記録する為に必要なビットマップデータに変換し記憶するビットマップメモリ２２ｂと、ビットマップメモリ２２ｂからビットマップデータを読み出す為の読出し回路２２ｃと、を含んでいる。
【００３７】
電気制御手段２２はさらに：記録媒体１６の副走査方向Ｙへの走行を駆動する副走査モータ１８ａに電気的に接続されている副走査モータドライバ２２ｄと；インクジェットヘッド支持構造１２Ａ，１２Ｂ，１２Ｃ，１２Ｄを介してインクジェットヘッド１０Ａ，１０Ｂ，１０Ｃ，１０Ｄに電気的に接続されているプリントヘッドドライバ２２ｅと、キャリッジ本体２０ｃの主走査方向Ｌ，Ｒへの走行を駆動する主走査モータ２０ｆに電気的に接続されている主走査モータドライバ２２ｆと、書き込み回路２２ａ，読出し回路２２ｃ，副走査モータドライバ２２ｄ，プリントヘッドドライバ２２ｅ，そして主走査モータドライバ２２ｆに接続されている制御回路２２ｇと；を含んでいる。
【００３８】
電気制御手段２２においては、読出し回路２２ｃがさらに副走査モータドライバ２２ｄ，プリントヘッドドライバ２２ｅ，そして主走査モータドライバ２２ｆに接続されている。
【００３９】
書き込み回路２２ａに入力されたプリント原画信号に対応した所望の画像を、４つのインクジェットヘッド１０Ａ，１０Ｂ，１０Ｃ，１０Ｄを使用しプラテン１８ｅ上の記録媒体１６上に記録する時には、制御回路２２ｇにより読出し回路２２ｃを制御して、ビットマップメモリ２２ｂから上記プリント原画信号に対応したビットマップデータを読み出させ、ビットマップデータに基づいて副走査モータドライバ２２ｄ，プリントヘッドドライバ２２ｅ，そして主走査モータドライバ２２ｆを介して副走査モータ１８ａ、インクジェットヘッド１０Ａ，１０Ｂ，１０Ｃ，１０Ｄ、そして主走査モータ２０ｆを駆動させる。この結果、副走査モータ１８ａはプラテン１８ｅ上の記録媒体１６を副走査方向Ｙに所定の時間間隔毎に所定の速度で走行させ、主走査モータ２０ｆはキャリッジ本体２０ｃを１対のキャリッジ案内棒２０ａ，２０ｂに沿い所定の時間間隔毎に所定の速度で所定の範囲内を往復動作させ、さらにインクジェットヘッド１０Ａ，１０Ｂ，１０Ｃ，１０Ｄはキャリッジ本体２０ｃがこのように往復動作させられている間にビットマップデータに基づいた所定のタイミングで黒色，シアン色，マゼンタ色，イエロー色のインクをプラテン１８ｅ上の記録媒体１６に向かい噴射させる。
【００４０】
インクジェットプリンタ１４の主要部の上述した如き構成及び動作は従来良く知られており、これらについてのこれ以上の説明は省略する。
【００４１】
次には、図１を参照しながら上述したインクジェットプリンタ１４において使用されるこの発明の一実施の形態に従ったインクジェットヘッド１０Ａ，１０Ｂ，１０Ｃ，１０Ｄ及びこのインクジェットヘッド１０Ａ，１０Ｂ，１０Ｃ，１０Ｄと組み合わされるインクジェットヘッド支持構造１２Ａ，１２Ｂ，１２Ｃ，１２Ｄについて図２乃至図６を参照しながら詳細に説明する。しかしながら、インクジェットヘッド１０Ａ，１０Ｂ，１０Ｃ，１０Ｄの夫々の構成は相互に同じであり、従ってインクジェットヘッド支持構造１２Ａ，１２Ｂ，１２Ｃ，１２Ｄの夫々の構成も相互に同じである。従って以下の説明においては、インクジェットヘッドを参照符号１０で指摘し、インクジェットヘッド支持構造を参照符号１２で指摘する。
【００４２】
なお図２の（Ａ）は、この発明の一実施の形態に従ったインクジェットヘッドの正面図；図２の（Ｂ）は、この発明の一実施の形態に従ったインクジェットヘッドの後面図；図２の（Ｃ）は、この発明の一実施の形態に従ったインクジェットヘッドの半断面上面図；そして図２の（Ｄ）は、この発明の一実施の形態に従ったインクジェットヘッドの下面図である。また、図３は、この発明の一実施の形態に従ったインクジェットヘッドの縦断面図；図４は、この発明の一実施の形態に従ったインクジェットヘッドの斜視図；図５は、この発明の一実施の形態に従ったインクジェットヘッドの分解斜視図；そして図６は、この発明の一実施の形態に従ったインクジェットヘッドと組み合わされるインクジェットヘッド支持構造の縦断面図である。
【００４３】
この発明の一実施の形態に従ったインクジェットヘッド１０は、インクが供給され供給されたインクを噴射させる為の図示しない多数の所定の配列のインク噴射手段を含んでいるインク噴射部１０ａと、外部電気機器のコネクタと着脱自在に電気的に接続する為の１対のヘッド側コネクタ１０ｂと、インク噴射部１０ａとヘッド側コネクタ１０ｂとの間に介在されインク噴射部１０ａとヘッド側コネクタ１０ｂとの間の電気的な接続を行う１対の電気接続部１０ｃと、を備えている。インク噴射部１０ａ，１対のヘッド側コネクタ１０ｂ，そして１対の電気接続部１０ｃは支持カバー（支持体）１０ｄにより所定の配置に支持されている。
【００４４】
より詳細に説明すると、インク噴射部１０ａは支持カバー１０ｄの＋Ｘ側の一端に配置され、１対のヘッド側コネクタ１０ｂは支持カバー１０ｄの−Ｘ側の他端に相互に併んで配置され、電気接続部１０ｃは支持カバー１０ｄ中で支持カバー１０ｄの一端と他端との間に配置されている。支持カバー１０ｄ中にはさらに、インク噴射部１０ａから支持カバー１０ｄの他端まで延出しているインク供給パイプ１０ｅが配置されている。支持カバー１０ｄの一端には、インク噴射部１０ａの周囲を取り囲むようインク噴射部保護部１０ｆがさらに取り付けられている。ヘッド側コネクタ１０ｂは、複数の接続案内孔１０ｇを有している。
【００４５】
支持カバー１０ｄ中でインク噴射部１０ａの−Ｘ側にはインクマニホルド１０ｈがインク噴射部１０ａに隣接して配置されている。インクマニホルド１０ｈはインク供給パイプ１０ｅからインク噴射部１０ａに供給されて来たインクをインク噴射部１０ａの所定の配列の図示しない多数のインク噴射手段の夫々に導く。インク噴射部保護部１０ｆには、インク噴射部１０ａの図示しない多数のインク噴射手段に対応して多数の所定の配列のノズルＮＺが形成されているノズルプレート１０ｉが固定されている。インク噴射部保護部１０ｆにおいて支持カバー１０ｄの−Ｘ側の他端を向いた表面は当接面Ｔとして構成されている。
【００４６】
この実施の形態において１対の電気接続部１０ｃの夫々は、インク噴射部１０ａの図示しない多数のインク噴射手段の動作を制御する為の図示しない種々の電子または電気部品を含む電子または電気回路が形成されているフレキシブル基板により構成されている。そして、支持カバー１０ｄ中で１対の電気接続部１０ｃの夫々は、支持カバー１０ｄの一端のインク噴射部１０ａと支持カバー１０ｄの他端の１対のヘッド側コネクタ１０ｂとの間でインクマニホルド１０ｈの＋Ｚ側及び−Ｚ側の両側面に沿い配置されていて、＋Ｘ側の端がインク噴射部１０ａに電気的に接続されており、−Ｘ側の端が１対のヘッド側コネクタ１０ｂ中の対応するものと電気的に接続されている。しかも１対の電気接続部１０ｃの夫々は、インクマニホルド１０ｈの上記両側面において、１対のヘッド側コネクタ１０ｂの夫々の３次元方向への移動を許容するよう折り畳まれている。
【００４７】
１対のヘッド側コネクタ１０ｂの夫々は、＋Ｙ方向の端面及び−Ｙ方向の端面からさらに＋Ｙ方向及び−Ｙ方向に突出した係合突起ＰＲを備えている。支持カバー１０ｄの他端部において１対のヘッド側コネクタ１０ｂの夫々の＋Ｙ方向の端面及び−Ｙ方向の端面に対応した位置には、１対のヘッド側コネクタ１０ｂの夫々の＋Ｙ方向及び−Ｙ方向の係合突起ＰＲを受け入れる係合凹所ＲＨが形成されている。夫々の係合凹所ＲＨの寸法は夫々の係合突起ＰＲの寸法よりも大きく設定されているので、夫々の係合凹所ＲＨ内における夫々の係合突起ＰＲの＋Ｘ方向，−Ｘ方向，＋Ｚ方向，−Ｚ方向の移動を許容しており、ひいては支持カバー１０ｄの他端部における１対のヘッド側コネクタ１０ｂの夫々の＋Ｘ方向，−Ｘ方向，＋Ｚ方向，−Ｚ方向の移動を許容している。
【００４８】
なおこの実施の形態において、支持カバー１０ｄの他端部の−Ｙ側の端面の１対の係合凹所ＲＨを含む部分１０ｄ´は、支持カバー１０ｄの他端部への夫々が係合突起ＰＲを有している１対のヘッド側コネクタ１０ｂの配置を可能にする為に着脱可能に構成されている。
【００４９】
さらに支持カバー１０ｄの他端部の＋Ｙ方向の端面の裏面と−Ｙ方向の端面の裏面との間の距離Ｈは、１対のヘッド側コネクタ１０ｂの夫々の＋Ｙ方向の端面と−Ｙ方向の端面との間の距離ｈよりも大きく設定されているが、距離ｈに係合突起ＰＲの１本分の高さを加えた距離よりは小さく設定されている。このような距離の設定により、支持カバー１０ｄの他端部において１対のヘッド側コネクタ１０ｂの夫々は＋Ｙ方向及び−Ｙ方向における移動が許容されており、ひいては支持カバー１０ｄの他端部における１対のヘッド側コネクタ１０ｂの夫々の＋Ｙ方向及び−Ｙ方向の移動を許容している。なお上述した距離Ｈは、支持カバー１０ｄの他端部に、１対のヘッド側コネクタ１０ｂの夫々を保持し１対のヘッド側コネクタ１０ｂの夫々の３次元方向における所定の範囲の移動を許容する３次元方向移動許容部材を設置することにより上述した条件とは無関係に設定することが出来る。従って、１対のヘッド側コネクタ１０ｂの夫々は、前述した如く支持カバー１０ｄの他端部において＋Ｘ方向，−Ｘ方向，＋Ｚ方向，−Ｚ方向の移動を許容されていることと合わせて、支持カバー１０ｄの他端部において３次元方向への所定の範囲の移動が許容されていることが分かる。
【００５０】
支持カバー１０ｄの内部空間の他端部にはさらに、１対のヘッド側コネクタ１０ｂの夫々のインク噴射部１０ａ側、即ち＋Ｘ側、に付勢手段１０ｊが配置されている。この付勢手段１０ｊは１対のヘッド側コネクタ１０ｂの夫々を支持カバー１０ｄの内部空間の他端部から−Ｘ側の外側に向かい付勢しているが、１対のヘッド側コネクタ１０ｂの夫々は１対の係合突起ＰＲを支持カバー１０ｄの他端部の１対の係合凹所ＲＨの−Ｘ側の縁に係合させることにより、支持カバー１０ｄの内部空間の他端部からの脱落が防止されている。
【００５１】
この実施の形態において付勢手段１０ｊは板ばねにより構成されており、インクマニホルド１０ｈに固定されることにより、支持カバー１０ｄの内部空間の他端部の所定位置に配置されている。
【００５２】
支持カバー１０ｄの一端部のインク噴射部保護部１０ｆの＋Ｙ側及び−Ｙ側の端部には、インクジェットヘッド１０を後述するインクジェットヘッド支持構造１２の所定の位置に固定する為の図示しない固定捩子が挿通される捩子挿通孔ＳＨが形成されている。捩子挿通孔ＳＨの直径は上記図示しない固定捩子の直径よりも大きく設定されており、この結果として、捩子挿通孔ＳＨに挿入された上記図示しない固定捩子によりインクジェットヘッド１０を後述するインクジェットヘッド支持構造１２の所定の位置に固定した後に上記図示しない固定捩子を緩めることにより、インクジェットヘッド支持構造１２の所定の位置に対してインクジェットヘッド１０を＋Ｙ方向，−Ｙ方向，Ｚ方向，−Ｚ方向へと上記直径の差の分だけ２次元的に移動させることが可能である。この２次元的な移動は、インクジェットヘッド１０を使用する図１に示されている如きインクジェットプリンタ１４においてプラテン１８ｅ上の記録媒体１６に画像を正確で精密に記録する為に必要な、インクジェットヘッド１０の前述した多数のインクジェットノズルＮＺ（図２の（Ａ）参照）の相対的な位置の調整を可能にしている。
【００５３】
インク噴射部保護部１０ｆの−Ｙ側の端面には上記２次元的な移動の為に使用されるＶ字形状の溝Ｇが形成されている。
【００５４】
次には、図２乃至図５を参照しながら前述したこの発明の一実施の形態に従ったインクジェットヘッド１０が着脱自在に装着されるインクジェットヘッド支持構造１２について図６を参照しながら詳細に説明する。
【００５５】
なお図６は、インクジェットヘッド支持構造１２の概略的な縦断面図である。
【００５６】
このインクジェットヘッド支持構造１２は、図１に示されているインクジェットプリンタ１４のヘッド支持部材としてのキャリッジ本体２０ｃ上に固定されているインクジェット支持基台１２ａを備えている。インクジェット支持基台１２ａは、インクジェットヘッド１０が着脱自在に挿入されるインクジェットヘッド挿入開口１２ｂを備えている。インクジェットヘッド支持基台１２ａにおいてインクジェットヘッド挿入開口１２ｂの上記入口の周囲はＹ−Ｚ方向に広がった位置決め面Ｓに構成されている。
【００５７】
インクジェットヘッド支持基台１２ａにおいてインクジェットヘッド挿入開口１２ｂの入口とは反対側の端部に、外部電気機器の為のコネクタ１２ｃが配置されている。より詳細に説明すると、インクジェットヘッド支持基台１２ａにおいて上記反対側の端部の端面１２ｄにはインクジェットヘッド挿入開口１２ｂの入口とは反対方向に向かい突出した複数の支持突起１２ｅが設けられている。
【００５８】
複数の支持突起１２ｅには、インクジェットヘッド挿入開口１２ｂ中に挿入されたインクジェットヘッド１０のインク噴射部１０ａの動作やキャリッジ本体２０ｃの動作を制御する為の電気回路が構成されている回路基板１２ｆが固定されている。そして回路基板１２ｆ上に１対のコネクタ１２ｃが並んで固定されている。１対のコネクタ１２ｃの＋Ｚ方向及び−Ｚ方向の相互間の距離は、インクジェットヘッド１０の１対のヘッド側コネクタ１０ｂの＋Ｚ方向及び−Ｚ方向の相互間の距離と同じに設定されている。
【００５９】
１対のコネクタ１２ｃの夫々はインクジェットヘッド挿入開口１２ｂの入口に向かい突出した複数の接続案内突起１２ｇを有している。１対のコネクタ１２ｃの夫々における複数の接続案内突起１２ｇの配置は１対のヘッド側コネクタ１０ｂの夫々における接続案内孔１０ｇの配置と同じである。
【００６０】
キャリッジ本体２０ｃにおいて、インクジェットヘッド支持基台１２ａのインクジェットヘッド挿入開口１２ｂの上記反対側の端部から上記反対方向に離れた位置には、インクタンク１２ｈがさらに配置されている。インクタンク１２ｈからはインクジェットヘッド支持基台１２ａのインクジェットヘッド挿入開口１２ｂ中へとインクジェットヘッド挿入開口１２ｂの上記反対側の端部を介してインク導出パイプ１２ｉが延出している。
【００６１】
次には、このように構成されているインクジェットヘッド支持構造１２のインクジェットヘッド挿入開口１２ｂ中へのインクジェットヘッド１０の挿入動作について図７を参照しながら詳細に説明する。
【００６２】
インクジェットヘッド支持構造１２のインクジェットヘッド挿入開口１２ｂ中へと＋Ｘ側の上記入口を介してインクジェットヘッド１０を１対のヘッド側コネクタ１１０ｂを先頭にして挿入すると、インクジェットヘッド１０の１対のヘッド側コネクタ１０ｂは支持カバー１０ｄの他端部において前述した如く３次元方向に所定の範囲で移動可能であるにもかかわらず付勢手段１０ｊの付勢力により夫々の１対の係合突起ＰＲを上記他端部の対応する１対の係合凹所ＲＨの−Ｘ側の縁に係合させることにより上記他端部において所定の位置に安定して支持されていることにより、１対のヘッド側コネクタ１０ｂの夫々の複数の接続案内孔１０ｇ中へと１対コネクタ１２ｃの夫々の接続案内突起１２ｇが容易に挿入され、図７中に矢印Ｂにより示されている如く１対のヘッド側コネクタ１１０ｂをインクジェットヘッド支持構造１２の１対のコネクタ１２ｃに接続させることができる。また上記挿入によりインクタンク１２ｈからのインク導出パイプ１２ｉの延出端がインクジェットヘッド１０のインク供給パイプ１０ｅの延出端中に挿入され水密に接続される。
【００６３】
インクジェットヘッド支持基台１２ａのインクジェットヘッド挿入開口１２ｂ中へのインクジェットヘッド１０の挿入は、インクジェットヘッド１０のインク噴射部保護部１０ｆにおいてインクジェットヘッド支持基台１２に向いている当接面Ｔがインクジェットヘッド支持基台１２においてインクジェットヘッド挿入開口１２ｂの上記入口の周囲の位置決め面Ｓに当接することにより停止し、この状態でインク噴射部保護部１０ｆがインクジェットヘッド支持基台１２ａの上記周囲の位置決め面Ｓに解除可能に固定される。より詳細に説明すると、インク噴射部保護部１０ｆに複数の貫通孔ＳＨが形成されていて、これら貫通孔ＳＨに図示されていない固定用頭付きボルトを挿入するとともに上記入口の周囲に螺合させることにより上記固定が実行される。
【００６４】
インクジェットヘッド１０の１対のヘッド側コネクタ１０ｂが＋Ｘ方向及び−Ｘ方向に所定の範囲で移動可能であることにより、＋Ｘ方向及び−Ｘ方向における１対のヘッド側コネクタ１０ｂの相対的な位置と＋Ｘ方向及び−Ｘ方向におけるインクジェットヘッド支持基台１２ａのインクジェットヘッド挿入開口１２ｂ中の１対のコネクタ１２ｃの相対的な位置との間の寸法誤差を吸収し、１対のヘッド側コネクタ１０ｂと１対のコネクタ１２ｃとの充分な接続を保証している。さらに、１対のヘッド側コネクタ１０ｂの＋Ｘ側に隣接している付勢手段１０ｊの付勢力が上記充分な接続の永続を保証している。
【００６５】
複数の貫通孔ＳＨの夫々の径は図示されていない上記固定用頭付きボルトの捩子部の径よりも大きく頭部の径よりも小さく設定されている。従って、上記固定用頭付きボルトによる締め付けを緩和させている間に、インクジェットヘッド支持基台１２ａの上記入口の周囲の位置決め面Ｓ上でインク噴射部保護部１０ｄを複数の貫通孔ＳＨの夫々の径と図示されていない上記固定用頭付きボルトの捩子部の径との間の隙間の範囲で移動させることにより、インクジェットヘッド支持基台１２ａ上、ひいては図１のキャリッジ本体２０ｃ上、におけるインクジェットヘッド１０のインク噴射部１０ａの複数のインクジェットノズルＮＺの位置調整を実行することが出来る。
【００６６】
この位置調整はまた、インクジェットヘッド１０の支持カバー１０ｄの−Ｘ側の端部において１対のヘッド側コネクタ１０ｂが＋Ｙ方向，−Ｙ方向，＋Ｚ方向，−Ｚ方向に前述した如く所定の範囲内で移動可能であることにより、インクジェットヘッド１０の１対のヘッド側コネクタ１０ｂとインクジェットヘッド支持基台１２ａのインクジェットヘッド挿入開口１２ｂ中の１対のコネクタ１２ｃとの前述した如き電気的な接続を解除することなく、達成可能である。
【００６７】
次には、上記位置調整を容易にする為にインクジェットヘッド支持基台１２ａに設けられている構造について図８を参照しながら詳細に説明する。
【００６８】
図８はインクジェットヘッド支持基台１２ａのインクジェットヘッド挿入開口１２ｂ中に挿入されたインクジェットヘッド１０を示す正面図である。
【００６９】
インクジェットヘッド支持基台１２ａのインクジェットヘッド挿入開口１２ｂの上記入口の周囲の位置決め面Ｓには２つの偏心カムＣＭ１，ＣＭ２が回転自在に設けられており、一方の偏心カムＣＭ１はインクジェットヘッド支持基台１２ａのインクジェットヘッド挿入開口１２ｂ中に挿入されたインクジェットヘッド１０のインク噴射部保護部１０ｄの−Ｙ側の端面のＶ字形状の溝Ｇにカム外周面を当接させており、他方の偏心カムＣＭ２はインクジェットヘッド１０のインク噴射部保護部１０ｄの＋Ｚ側の側面の＋Ｙ側の端部にカム外周面を当接させている。
【００７０】
ここで一方の偏心カムＣＭ１のカム外周面は、Ｖ字形状の溝Ｇの両側面との接触点から偏心カムＣＭ１の回転中心までの距離ｒ1 が相互に同じであり、上記距離ｒ1 が一方の偏心カムＣＭ１が上記回転中心の回りの一方向に回動する間には序々に増加し、また上記回転中心の回りの他方向に回動する間には序々に減少する２つの部分で構成されている。従って、一方の偏心カムＣＭ１の一方向への回動に伴いインクジェットヘッド１０のインク噴射部保護部１０ｄ（即ち、インクジェットノズルＮＺ）は＋Ｙ方向にのみ移動し、一方の偏心カムＣＭ１の他方向への回動に伴いインクジェットヘッド１０のインク噴射部保護部１０ｄ（即ち、インクジェットノズルＮＺ）は−Ｙ方向にのみ移動する。
【００７１】
さらに、他方の偏心カムＣＭ２のカム外周面は、他方の偏心カムＣＭ２が自身の回転中心の回りの一方向に回動する間には序々に増加し、また上記回転中心の回りの他方向に回動する間には序々に減少するよう構成されている。従って、他方の偏心カムＣＭ２の一方向への回動に伴いインクジェットヘッド１０のインク噴射部保護部１０ｄ（即ち、インクジェットノズルＮＺ）は、一方の偏心カムＣＭ１の回転中心の回りで−Ｚ方向に傾斜し、また他方の偏心カムＣＭ２の他方向への回動に伴いインクジェットヘッド１０のインク噴射部保護部１０ｄ（即ち、インクジェットノズルＮＺ）は、一方の偏心カムＣＭ１の回転中心の回りで＋Ｚ方向に傾斜する。
【００７２】
さらにインクジェットヘッド支持基台１２ａには、インクジェットヘッド挿入開口１２ｂ中に挿入されたインクジェットヘッド１０のインク噴射部保護部１０ｆの−Ｚ側の側面と＋Ｙ側の端面との交差領域に接触してインク噴射部保護部１０ｆを−Ｙ方向と＋Ｚ方向との中間の方向へと付勢する付勢手段ＵＭも設けられている。
【００７３】
このような構成において、一方の偏心カムＣＭ１を回動させると、インクジェットヘッド支持基台１２ａのインクジェットヘッド挿入開口１２ｂの上記入口の周囲の位置決め面Ｓ上で他方の偏心カムＣＭ２のカム外周面に摺接しながらインクジェットヘッド１０のインク噴射部保護部１０ｆ（即ち、インクジェットノズルＮＺ）を＋Ｙ方向または−Ｙ方向に、インク噴射部保護部１０ｄの複数の貫通孔ＳＨの夫々の径と図示されていない上記固定用頭付きボルトの捩子部の径との間の隙間の範囲で移動させることが出来る。また他方の偏心カムＣＭ２を回動させると、インクジェットヘッド支持基台１２ａのインクジェットヘッド挿入開口１２ｂの上記入口の周囲の位置決め面Ｓ上で一方の偏心カムＣＭ１のカム外周面とインクジェットヘッド１０のインク噴射部保護部１０ｆの−Ｙ側の端面のＶ字形状の溝Ｇとの接点の回りに＋Ｚ方向または−Ｚ方向に、インク噴射部保護部１０ｆ（即ち、インクジェットノズルＮＺ）をインク噴射部保護部１０ｄの複数の貫通孔ＳＨの夫々の径と図示されていない上記固定用頭付きボルトの捩子部の径との間の隙間の範囲で回動させることが出来る。
【００７４】
次には、図９の（Ａ），（Ｂ），（Ｃ）そして（Ｄ）を参照しながら、インクジェットヘッド１０の種々の変形例を説明するが、これらの図の全ては種々の変形例の下面の大部分を断面にして示す下面断面図である。そして、これら種々の変形例の構成部材の大部分は、図２乃至図５を参照しながら前述した一実施の形態に従ったインクジェットヘッド１０の構成部材の大部分と同じである。従って、これら種々の変形例の構成部材においてインクジェットヘッド１０の構成部材と同じものには、インクジェットヘッド１０において対応する構成部材に付されていた参照符号と同じ参照符号を付して詳細な説明は省略する。
【００７５】
図９の（Ａ）の第１の変形例では、支持ケース１０ｄの＋Ｚ方向および−Ｚ方向の両側面において−Ｘ側の端部に電気接続部挿入孔ＥＨが形成されている。そしてこれら１対の電気接続部挿入孔ＥＨに支持ケース１０ｄ中の１対のフレキシブル基板による電気接続部１０ｃ´の一部が挿入され外方に張り出されている。支持ケース１０ｄ中にこのように配置された１対の電気接続部１０ｃ´は、支持ケース１０ｄ中でインクマニホルド１０ｈの＋Ｚ方向および−Ｚ方向の両側面と支持ケース１０ｄの＋Ｚ方向および−Ｚ方向の両側面の裏面との間に比較的大きな隙間を生じさせ、この比較的大きな隙間に比較的大きな寸法の電気または電子部品ＥＰを搭載可能にしている。さらに、支持ケース１０ｄの電気接続部挿入孔ＥＨを介して外方に張り出した１対の電気接続部１０ｃ´の一部は１対のヘッド側コネクタ１０ｂの為の付勢手段としても作用し、１対のヘッド側コネクタ１０ｂの＋Ｘ側に隣接している１対の付勢手段１０ｊを小形化することを可能としている。この結果、支持ケース１０ｄ、ひいてはインクジェットヘッド１０、の＋Ｘ方向および−Ｘ方向の寸法を小形化することを可能としている。
【００７６】
図９の（Ｂ）の第２の変形例では、前述した一実施の形態に従ったインクジェットヘッド１０の構成との違いが、１対の電気接続部１０ｃ´´の夫々において支持ケース１０ｄ中のインクマニホルド１０ｈの＋Ｚ方向および−Ｚ方向の両側面に対面した側に種々の電気または電子部品ＥＰ´を搭載していることである。
【００７７】
この第２の変形例では、図９の（Ａ）の第１の変形例のような比較的大きな寸法の電気または電子部品ＥＰを搭載することは出来ない。
【００７８】
図９の（Ｃ）の第３の変形例では、支持ケース１０ｄの−Ｘ側の他端部に前述した如く３次元方向に所定の範囲で移動自在に設けられているヘッド側コネクタ１０ｂの数が１個であり、支持ケース１０ｄ中の電気接続部１０ｃ´´´が３つの部材から構成されている。即ち、電気接続部１０ｃ´´´は、インク噴射部１０ａからインクマニホルド１０ｈの＋Ｚ方向および−Ｚ方向の両側面に沿い支持ケース１０ｄの−Ｘ側の他端部に向かい延出する１対の第１のフレキシブル基板ＦＰ１と、支持ケース１０ｄ中でインク噴射部１０ａが配置されている＋Ｘ側の一端部と−Ｘ側の他端部との間に配置されていて１対の第１のフレキシブル基板ＦＰ１の延出端が電気的に接続されている固い基板ＳＰと、固い基板ＳＰから１個のヘッド側コネクタ１０ｂへと撓んだ状態で延出しヘッド側コネクタ１０ｂに延出端を電気的に接続させている１枚の第２のフレキシブル基板ＦＰ２と、により構成されている。
【００７９】
この第３の変形例においては、固い基板ＳＰが支持ケース１０ｄ中に固定されていても良いし、固定されていなくても良い。固定されている場合には、１枚の第２のフレキシブル基板ＦＰ２のみが１個のヘッド側コネクタ１０ｂの所定の範囲の３次元方向への移動を許容する。また、固定されていない場合には、１枚の第２のフレキシブル基板ＦＰ２に加えて１対の第１のフレキシブル基板ＦＰ１もが１個のヘッド側コネクタ１０ｂの所定の範囲の３次元方向への移動を許容する。
【００８０】
図９の（Ｄ）の第４の変形例では、支持ケース１０ｄの−Ｘ側の他端部に前述した如く３次元方向に所定の範囲で移動自在に設けられているヘッド側コネクタ１０ｂの数が１個であり、支持ケース１０ｄ中の電気接続部１０ｃ´´´´が２つの部材から構成されている。即ち、電気接続部１０ｃ´´´´は、インク噴射部１０ａからインクマニホルド１０ｈの＋Ｚ方向および−Ｚ方向の両側面に沿い支持ケース１０ｄの−Ｘ側の他端部に向かい延出する１対の第１のフレキシブル基板ＦＰ１´と、支持ケース１０ｄ中で−Ｘ側の他端部に配置されていて１対の第１のフレキシブル基板ＦＰ１´の延出端が電気的に接続されているとともに１個のヘッド側コネクタ１０ｂが固定されている固い基板ＳＰ´と、により構成されている。
【００８１】
この第４の変形例においては、ヘッド側コネクタ１０ｂの３次元方向の移動を許容する為に固い基板ＳＰ´が支持ケース１０ｄ中に固定されていない。
【００８２】
なおこの発明の理念に従えば、インクジェットヘッド１０におけるヘッド側コネクタ１０ｂの３次元移動許容支持構造をキャリッジ手段２０（図１参照）のキャリッジ本体２０ｃにおけるインクジェットヘッド支持構造１２におけるコネクタ１２ｃの３次元移動許容支持構造に転用することも出来る。この場合には、インクジェットヘッド１０におけるヘッド側コネクタ１０ｂの支持構造を固定にしても、インクジェットヘッド１０におけるインクノズルＮＺの位置調整をヘッド側コネクタ１０ｂとインクジェットヘッド支持構造１２のコネクタ１２ｃとの間の電気的な接続を遮断することなく実行することが出来る。
【００８３】
より詳細には、コネクタ１２ｃの＋Ｙ側端面および−Ｙ側端面から＋Ｙ方向及び−Ｙ方向に１対の係合突起を突出させる。回路基板１２ｆに、コネクタ１２ｃを収容するコネクタ収容開口が形成されているコネクタ支持部材を設ける。コネクタ収容開口の外形寸法はコネクタ収容開口中におけるコネクタ１２ｃの３次元移動を可能にするようコネクタ１２ｃの外形寸法よりも大きく設定する。コネクタ支持部材の＋Ｙ側端面および−Ｙ側端面にコネクタ１２ｃの１対の係合突起を受け入れる１対の係合穴を形成する。１対の係合穴の夫々の＋Ｘ方向，−Ｘ方向，＋Ｚ方向，−Ｚ方向の寸法を、１対の係合突起の夫々の＋Ｘ方向，−Ｘ方向，＋Ｚ方向，−Ｚ方向の寸法よりも大きく設定する。＋Ｙ方向および−Ｙ方向における１対の係合穴間の距離をコネクタ１２ｃの＋Ｙ側端面と−Ｙ側端面との間の距離よりも大きくするとともにコネクタ１２ｃの＋Ｙ側端面と−Ｙ側端面との間の距離に１対の係合突起の一方の＋Ｙ方向および−Ｙ方向における突出高さを加えた合計距離よりも小さく設定する。
【００８４】
そして、コネクタ１２ｃに対するインクジェットヘッド１０のヘッド側コネクタ１０ｂの接続作業を容易とする為に、コネクタ１２ｃを＋Ｘ方向に向かい付勢し、コネクタ１２ｃの１対の係合突起をコネクタ支持部材の１対の係合穴の＋Ｘ方向に押圧してコネクタ支持部材のコネクタ収容開口中におけるコネクタ１２ｃの位置を安定させておくことが出来る。
【００８５】
なお上述した一実施の形態においては、インクジェットヘッド１０の一端部のインク噴射部１０ａと他端部の１対のヘッド側コネクタ１０ｂとの間に１対の電気接続部１０ｃが介在されていたが、電気接続部１０ｃの数は１対以上の複数であっても１つでも良いし、ヘッド側コネクタ１０ｂも１対以上の複数であっても１つであることも出来る。即ち、インク噴射部１０ａと１対または１対以上の複数のヘッド側コネクタ１０ｂとを１つの電気接続部１０ｃにより電気的に接続することが出来るし、インク噴射部１０ａと１つのヘッド側コネクタ１０ｂとを１つまたは１対以上の複数の電気接続部１０ｃにより電気的に接続することが出来る。もちろん、インク噴射部１０ａと１対以上の複数のヘッド側コネクタ１０ｂとを１対以上の複数の電気接続部１０ｃにより電気的に接続することが出来る。
【００８６】
このようなインクジェットヘッド支持構造は、以下のように表現することが出来る。
【００８７】
１．インクジェットヘッドを着脱自在に支持する為のインクジェットヘッド支持部（前述の一実施の形態ではインクジェットヘッド挿入開口１２ｂ）と；
インクジェットヘッド支持部に設けられ、インクジェットヘッド支持部に支持されたインクジェットヘッドのヘッド側コネクタと着脱自在に電気的に接続する為のコネクタ（前述の一実施の形態ではコネクタ１２ｃ）と；
コネクタと外部電気機器（前述の一実施の形態ではプリントヘッドドライバ２２ｅ）との間に介在され、コネクタと外部電気機器との間の電気的な接続を行う電気接続部と；
を備えており、
コネクタがインクジェットヘッド支持部において３次元方向に移動可能に設けられている、ことを特徴とするインクジェットヘッド支持構造。
【００８８】
２．インクジェットヘッド支持部に設けられ、コネクタをインクジェットヘッドのヘッド側コネクタに向かい付勢する付勢手段を備えている、ことを特徴とする上記１項に記載のインクジェットヘッド支持構造。
【００８９】
３．電気接続部はコネクタと外部電気機器との間で少なくともコネクタに対し相対的に移動可能に配置されていてコネクタの上記３次元方向の移動を許容する、ことを特徴とする上記１項または上記２項に記載のインクジェットヘッド支持構造。
【００９０】
４．電気接続部の少なくとも一部は可撓性を有している、ことを特徴とする上記１項乃至上記３項のいずれか１項に記載のインクジェットヘッド支持構造。
【００９１】
５．電気接続部の少なくとも一部は弾性を有しており、前記付勢手段として機能する、ことを特徴とする上記２項乃至上記４項のいずれか１項に記載のインクジェットヘッド支持構造。
【００９２】
【発明の効果】
以上詳述したことから明らかなように、この発明に従ったインクジェットヘッドによれば、支持体におけるインクジェットヘッドの３次元方向の移動を可能にしているにもかかわらず、従来よりもインクジェットヘッド支持構造の構成を簡易に出来、しかも従来のインクジェットヘッド支持構造の外形寸法もより小形にすることが出来る。
【図面の簡単な説明】
【図１】この発明の一実施の形態に従った複数のインクジェットヘッド及びこれらのインクジェットヘッドと組み合わされて使用される複数のインクジェットヘッド支持構造を備えたインクジェットプリンタの主要部の構成を概略的に示す斜視図である。
【図２】（Ａ）は、この発明の一実施の形態に従ったインクジェットヘッドの正面図；（Ｂ）は、この発明の一実施の形態に従ったインクジェットヘッドの後面図；（Ｃ）は、この発明の一実施の形態に従ったインクジェットヘッドの半断面上面図；そして、
（Ｄ）は、この発明の一実施の形態に従ったインクジェットヘッドの下面図である。
【図３】この発明の一実施の形態に従ったインクジェットヘッドの縦断面図である。
【図４】この発明の一実施の形態に従ったインクジェットヘッドの斜視図である。
【図５】この発明の一実施の形態に従ったインクジェットヘッドの分解斜視図である。
【図６】この発明の一実施の形態に従ったインクジェットヘッドと組み合わされるインクジェットヘッド支持構造の縦断面図である。
【図７】この発明の一実施の形態に従ったインクジェットヘッドがこのインクジェットヘッドと組み合わされるインクジェットヘッド支持構造に装着される様子を示す縦断面図である。
【図８】この発明の一実施の形態に従ったインクジェットヘッドがこのインクジェットヘッドと組み合わされるインクジェットヘッド支持構造に装着された後に、インクジェットヘッド支持構造においてインクジェットノズルの位置を調整する為の構造を示すインクジェットヘッド及びインクジェットヘッド支持構造の正面図である。
【図９】（Ａ），（Ｂ），（Ｃ），そして（Ｄ）は、この発明の一実施の形態に従ったインクジェットヘッドの第１乃至第４の変形例を示す下面断面図である。
【図１０】従来のインクジェットヘッドがこのインクジェットヘッドと組み合わされる従来のインクジェットヘッド支持構造に装着される様子を示す縦断面図である。
【符号の説明】
１０  インクジェットヘッド
１０ａ  インク噴射部
１０ｂ  ヘッド側コネクタ
１０ｃ  電気接続部
１０ｄ  支持ケース（支持体）
１２  インクジェットヘッド支持構造
１２ｃ  コネクタ
【図１】
0004450933.tif 000002
【図２】
0004450933.tif 000003
【図３】
0004450933.tif 000004
【図４】
0004450933.tif 000005
【図５】
0004450933.tif 000006
【図６】
0004450933.tif 000007
【図７】
0004450933.tif 000008
【図８】
0004450933.tif 000009
【図９】
0004450933.tif 000010
【図１０】
0004450933.tif 000011